(57)【要約】【課題】  主として在宅保護者が安全に、かつ容易に歩行訓練が出来、比較的簡便に購入出来、２分離して袋内に収納可能に形成され持ち運び可能な在宅介護用歩行訓練具を提供する。【解決手段】  本発明の在宅介護用歩行訓練具１００は小リング１と大リング２と高さ調整部材３とベルト１２等とからなり、内部に収納された人体１１を安全と、かつ容易に任意の方向に移動出来るように構成される。また、２分離して袋１３内に収納し狭隘場所に収納出来持ち運ぶことが出来る。【選択図】図１
2014110879.tif 000002
【特許請求の範囲】
【請求項１】
主として在宅で自然歩行が不便の人の歩行訓練をするための簡便な歩行訓練具であって、該歩行訓練具は、狭隘な場所に箱や袋等に収納した形で保管出来、使用時には簡単に組み立て出来る構造からなり、分離可能で上下に配置される小リング及び大リングとこれ等のリング間に介設されて分離可能に形成されると共に高さ方向が調整自在に形成される高さ調整部材とからなることを特徴とする在宅分離用歩行調整具。
【請求項２】
前記小リングには細長なベルトの基端側が取り付けられ、該ベルトは使用時には使用者の股の部分を通って腰部を浮かし状態で人体に巻き込みその先端を連結すべく形成されるものからなることを特徴とする請求項１に記載の在宅介護用歩行訓練具。
【発明の詳細な説明】
【技術分野】
【０００１】  本発明は、寝たきりや自然歩行が不便の人が主として在宅で歩行訓練が容易に出来、かつその人の身長等に合わせて高さ調整が出来、安全性が高く、比較的安価に実施可能であり、狭隘の場所に保管出来、かつ持ち運びも出来る在宅介護用歩行訓練具に関する。
【背景技術】
【０００２】  年を重ねると足，腰が弱くなり、歩行が十分に出来なくなる不具合が発生する。また、介護福祉の専門家のお話によると在宅で寝たきりになると適当な器具がなく、歩行が段々出来なくたる場合が多いとのことです。そのためには取り扱いが簡単で在宅でも簡単に使用出来、安価に購入出来、安全性が高く、狭隘の場所に保管出来、使用時には簡単に使用出来る歩行訓練用の器具が必要である。そのために、従来より各種の歩行訓練具等が開発され開示されているが後に説明する本発明に比較的似ているものとして「特許文献１」，「特許文献２」，「特許文献３」，「特許文献４」が挙げられる。なお、これからの日本では老人用の医療費が年々一兆円づつ増加し２０数年后には国民医療費が３７兆円にもなり、対応出来なくなります。そのためには寝たきりの老人が在宅で歩行出来る器具が必要となる。然し乍ら、従来ではこの問題点を解決出来る器具がなかった。
【先行技術文献】
【特許文献】
【０００３】
【特許文献１】特開２００３−６２０２２号（図１）
【特許文献２】特開平４−２７９１６２号（図１）
【特許文献３】特開２００７−２０２８８０号（図１）
【特許文献４】実用新案登録第３０２０７８８号（図１）
【発明の概要】
【発明が解決しようとする課題】
【０００４】  前記の「特許文献１」の「特開２００３−６２０２２号」の「全方向移動機能を持つ歩行訓練機」は全方向移動可能で転倒せずに訓練出来る歩行訓練機」ではあるが、全方向機能を実現するために比較的高価なオムニホイルを複数個（ここでは４個）使用し、かつこのオムニホイルを電動式アクチュエータによって制御するものであり、介護老人向きや歩行不便の人に簡単に使用出来るものとは言えない。また、上下の支持部（（２）等）は分離出来ないものであり、本発明の大きな特徴である分離式のものとは大きく相異する。また、前記のように高額のものであり、簡単に個人が購入出来るものとは思われない。【０００５】  「特許文献２」の「特開平４−２７９１６２号」の「機能回復器」は上方にクッション部材（２）および下方に下部材（６）を有し、その間にスタッド（１）を設けシート（１２），（１４）を設けている構造からなり、全体として本発明に似ている部分も有るが、その（図１）に示すようにクッション部材（２）と下部材（６）は共に分離出来ない構造からなり、更にシート（１２）や（１４）も本発明の「ベルト」とは構造も使用方法も全く相違するものである。【０００６】  「特許文献３」の「特開２００７−２０２８８０号」の「歩行器」は本発明と全体として似ている構造ではあるが、本発明の特徴である分離性においては大きく相違するものである。また、シート片（６１）と本発明の「ベルト」とは大きく相違する構造のものからなり、使用方法も相異する。【０００７】  「特許文献４」の「実用新案登録第３０２０７８８号」の「松葉杖の機能を持つ歩行器」はかなり複雑な構造からなり、分離式でなく、収納性もないものであり、かつ比較的高価なものからなる。【０００８】  本発明は、以上の歩行訓練器の如きものとは大きく相違するものであり、狭隘の場所に収納保管出来、使用時における組み立ても容易であり、取り扱い性もよく、安全性も高く、比較的安価に購入出来、持ち運びも２分割となるため可能であり、個人や施設において便利に使用出来るものであり、身長差があっても調整出来、前記の問題点を解決出来る在宅介護用歩行訓練具を提供することを目的とする、
【課題を解決するための手段】
【０００９】  本発明は、以上の目的を達成するために創案されたものであり、請求項１の発明は、主として在宅で自然歩行が不便の人の歩行訓練をするための簡便な歩行訓練具であって、該歩行訓練具は、狭隘な場所に箱や袋等に収納した形で保管出来、使用時には簡単に組み立て出来る構造からなり、分離可能で上下に配置される小リング及び大リングとこれ等のリング間に介設されて分離可能に形成されると共に高さ方向が調整自在に形成される高さ調整部材とからなることを特徴とする。【００１０】  また、請求項２の発明は、前記小リングには細長なベルトの基端側が取り付けられ、該ベルトは使用時には使用者の股の部分を通って腰部を浮かし状態で人体に巻き込みその先端を連結すべく形成されるものからなることを特徴とする。
【発明の効果】
【００１１】  本発明の請求項１の在宅介護用歩行訓練具によれば、本発明の小リングおよび大リングは分離可能の構造からなり、高さ調整部材も分離可能のものからなるため、１つの箱や袋等の中に収納出来、狭隘の場所に保管出来る特徴を有する。また、使用時における組み立ても容易に出来る。よって、使用時には組み立てられた小リングと大リングの一部を分離させることにより人が中に入ることが出来、分離箇所を閉じることにより、すぐに使用することが出来る。また、高さ調整部材があるため身長差があっても対応が容易に出来る。また、高さ調整により椅子等をを用いて座ることも出来る。また、構造も簡便で安価に実施出来、コンパクトのため安全に使用出来る。【００１２】  また、本発明の請求項２の在宅介護用歩行訓練具によれば、ベルトを使用することにより腰が浮いた状態となり、歩行の容易化が図れる。
【図面の簡単な説明】
【００１３】
【図１】本発明の在宅介護用歩行訓練具の全体構造を示す正面図（ａ）及び（ａ）の高さ調整部材の部分の側面図（ｂ）と（ｂ）のＡ−Ａ線断面図（ｃ）。
【図２】在宅介護用歩行訓練具の各部材の分離形態を示す正面図。
【図３】在宅介護用歩行訓練具の使用時の状態を示す模式的斜視図。
【図４】小リング及び大リングの連結状態を示す平面図（ａ）及び（ａ）の小リング及び大リングの分離状態を示す平面図（ｂ）。
【図５】分離した小リング，大リング，高さ調整部材を箱又は袋等内に収納した状態を示す模式図。
【図６】ベルトの使用状態を示す参考図（ａ），（ｂ）。
【図７】マット部材の配置状態を示す模式図。
【発明を実施するための形態】
【００１４】  以下、本発明の在宅介護用歩行訓練具の実施の形態を図面を参照して詳述する。
【００１５】  図１に示すように、本発明の在宅介護用歩行訓練具１００は、その主要構成要素としては最上部に配置される小リング１と最下部に配置される大リング２と小リングと大リング２とに介設され小リング１を支える高さ調整部材３等とからなる。
【００１６】  小リング１及び大リング２は図４に示すように開閉及び分離可能なヒンジ４，５によって連結されるリング状部材からなる。なお、ヒンジ４及びヒンジ５は小リング１及び大リング２に夫々相対向する位置に２個設けられており、１つのヒンジ４又は５を外すことによって小リング１及び大リング２は片開きし、２個のヒンジ４及びヒンジ５を外すことにより小リング１及び大リング２は夫々分離される。
【００１７】  以上のように小リング１及び大リング２の２個のヒンジ及びヒンジ５を外すことにより在宅介護用歩行訓練具１００は中央部から分離され図５に示すように分離した状態で例えば袋１３内に収納され、持ち運び自在となる。
【００１８】  図２は小リング１と大リング２及び高さ調整部材３の分離状態を示すものである。高さ調整部材３は図１及び図２に示すように、大リング２側に下端を連結して立設する摺動体３ｂと小リング１に上端を連結して垂下し摺動体３ｂ内により摺動自在に保持されるガイド部材３ａとからなる。ガイド部材３ａに複数の小孔１４が設けられ、小孔１４に大リング２側に設けられている止め具７を小孔１４に挿入することにより小リング１の高さ位置が決定され、これにより高さ調整を簡単に行うことが出来る。また、ガイド部材３ａには人体１１の手で握られる把持部１５が設けられ、これを握ることにより人体１１が安全に、かつ楽に立ち上がり姿勢を保持することが出来る。
また、図２に示すように、小リングと大リング２は分離されると共に、高さ調整部材３のガイド部材３ａは小リング１側に固定した状態で分離され、摺動体３ｂは大リング２に固定した状態で分離される。このように分離することにより、前記のようにこれ等は１つの袋１３内に収納することが出来る。この袋１３は狭隘な場所に置くことが出来る。また、使用時には袋１３から小リングや大リング２等を取り出しヒンジ４やヒンジ５を互いに連結しガイド部材３ａを摺動体３ｂに挿入し止め具７により固定することにより完成される。
【００１９】  図３は本発明の在宅介護用歩行訓練具１００の使用状態を示すものである。図３に示すように、小リング１及び大リング２は片開きすることによって容易にこれ等の中に人体１１が収納される。なお、人体１１は小リング１により胸まわりの全周が保持され、安全に直立姿勢を保持することが出来る。
また、図示のように大リング２にはキャスタ６が設けられ、これにより在宅介護用歩行訓練具１００は簡単に任意の場所に移動することが出来る。
【００２０】  図６に示すように、ベルト１２は紐状のベルトからなり、その一端部を小リング１に固定し、開放側を人体１１の外側から股の部分を通して人体１１を支持し再び小リング１側に戻して人体１１を浮かし状態に支持するものからなる。このベルト１２により人体１１は安全に、かつ自重を支持する状態で歩行の容易化を図るようにしている。
【００２１】  図７に示すように小リング１に固定されるマット部材８は腕１０のつけ根９の部分に挿入され腕のつけ根を支持し人体１１を浮かすように支持すると共につけ根９の部分にクッション状に当接して人体１１を保護すべく機能する。
【００２２】  以上のように、この在宅介護用歩行訓練具１００を使用する人は小リング１や大リング２を開口してその中に入り、高さ調整を行った後に小リング１や大リング２を閉止し、腰掛ベルト１２により支持されると共に必要時にはマット部材８で支えられる。この状態において人はキャスタ６に支持されて任意の方向に移動出来、歩行の訓練を容易に、かつ安全に行うことが出来る。また、分割して袋１３内に収納し、任意の場所に持ち運び保管出来る。
【００２３】  本発明の在宅介護用歩行訓練具１００は以上の説明の如きものからなるが、その内容は以上の説明に限定するものでなく、同一技術的範疇のものが適用されることは勿論である。
【産業上の利用可能性】
【００２４】  本発明の在宅介護用歩行訓練具１００は主として在宅保護者の歩行訓練用として使用されるが、使用者は勿論その人達に限定するものではなく、軽い歩行訓練を必要とする人達にも適用され、その利用範囲は極めて広い。
【符号の説明】
【００２５】１      小リング
２      大リング
３      高さ調整部材
３ａ    ガイド部材
３ｂ    摺動体
４      ヒンジ（丁番）
５      ヒンジ（丁番）
６      キャスタ
７      止め具
８      マット部材
９      つけ根
１０    腕
１１    人体
１２    ベルト
１３    袋
１４    小孔
１５    把持部
１００  在宅介護用歩行訓練具
【図１】
2014110879.tif 000003
【図２】
2014110879.tif 000004
【図３】
2014110879.tif 000005
【図４】
2014110879.tif 000006
【図５】
2014110879.tif 000007
【図６】
2014110879.tif 000008
【図７】
2014110879.tif 000009